(57)【要約】      （修正有）【課題】画像形成処理における生産性を下げることなく、処理液の塗布を記録媒体に応じて可変できる画像形成装置及び画像形成システムを提供する。【解決手段】画像形成システム１０００は、記録媒体を搬送しながら液滴を吐出することで画像を形成する画像形成部３１０と、画像が形成される前の記録媒体を搬送しながら当該記録媒体に処理液を塗布する処理液塗布部２１０と、画像形成部３１０において記録媒体が搬送される速度である画像形成搬送速度と、処理液塗布部２１０において記録媒体が搬送される速度である液塗布搬送速度と、を制御する制御部と、を備える。制御部は、液塗布速度が画像形成搬送速度以上になるように制御する。【選択図】図１
2020055112.tif 000002
【特許請求の範囲】
【請求項１】
記録媒体を搬送しながら液滴を吐出することで画像を形成する画像形成部と、
前記画像が形成される前の記録媒体を搬送しながら当該記録媒体に処理液を塗布する処理液塗布部と、
前記画像形成部において前記記録媒体が搬送される速度である画像形成搬送速度と、前記処理液塗布部において前記記録媒体が搬送される速度である液塗布搬送速度と、を制御する制御部と、
を備え、
前記制御部は、前記液塗布搬送速度が前記画像形成搬送速度以上になるように制御する、
ことを特徴とする画像形成装置。
【請求項２】
前記制御部は、前記画像形成搬送速度を一定にしたまま、前記液塗布搬送速度を任意に変更できる、
ことを特徴とする請求項１に記載の画像形成装置。
【請求項３】
前記処理液塗布部は、
液供給パンに貯えられた処理液に浸された状態で回転し当該処理液を汲み上げる汲み上げローラと、
前記汲み上げローラとの間に形成されたニップで前記汲み上げローラから前記処理液を受け取る塗布ローラと、
前記塗布ローラとの間に前記記録媒体を介してニップを形成し、前記塗布ローラから当該記録媒体に前記処理液を転写させる転写ローラと、
前記塗布ローラを回転駆動させる第一駆動部と、を備え、
前記制御部は前記第一駆動部を制御し、前記塗布ローラが前記第一駆動部からの駆動力に基づいて回転することで前記記録媒体に前記処理液を塗布しながら当該記録媒体を前記液塗布搬送速度で搬送する、
請求項１または２に記載の画像形成装置。
【請求項４】
前記汲み上げローラを回転駆動させる第二駆動部を備え、
前記制御部は、前記第一駆動部による前記塗布ローラの回転速度に応じて前記第二駆動部による前記汲み上げローラの回転速度を制御する、
請求項３に記載の画像形成装置。
【請求項５】
前記制御部は、前記記録媒体の種別毎の前記処理液の塗布量が最適量なる前記液塗布搬送速度を規定するためのデータである塗布量データを保持する塗布量データテーブルを記憶する記憶部を備え、
前記制御部は、前記塗布量データテーブルから読み出した前記塗布量データと前記画像形成搬送速度とに基づいて、前記液塗布搬送速度を制御する、
請求項１乃至４のいずれか一項に記載の画像形成装置。
【請求項６】
前記制御部は、前記記録媒体の種別が前記処理液を浸透させやすいほど前記液塗布搬送速度が遅くなるように制御し、前記記録媒体の種別が前記処理液を浸透させにくいほど前記液塗布搬送速度が速くなるように制御する、
請求項５に記載の画像形成装置。
【請求項７】
前記処理液の温度を計測する温度センサを備え、
前記制御部は、前記温度に基づいて前記液塗布搬送速度を制御する、
請求項１乃至６のいずれか一項に記載の画像形成装置。
【請求項８】
前記制御部は、前記処理液の温度が高くなるほど前記液塗布搬送速度を速めるように制御する、
請求項７記載の画像形成装置。
【請求項９】
記録媒体を搬送しながら液滴を吐出することで画像を形成する画像形成部を備える画像形成装置と、
前記記録媒体に処理液を塗布する処理液塗布部と当該処理液塗布部の動作を制御する制御部を備える処理液塗布装置と、
を有する画像形成システムであって、
前記処理液塗布部及び前記制御部は請求項１乃至８のいずれか一項に記載の処理液塗布部および制御部である、
ことを特徴とする画像形成システム。
【発明の詳細な説明】
【技術分野】
【０００１】
本発明は、画像形成装置および画像形成システムに関する。
【背景技術】
【０００２】
記録媒体に液滴を吐出して画像を形成する画像形成装置において、記録媒体に付着した液滴の状態を画像形成にとって好ましい状態にする効果を有する処理液を、画像形成前の記録媒体に塗布する処理液塗布機能を備えるものが知られている。また、処理液を塗布する機能に特化した処理液塗布装置と、画像形成機能を備える画像形成装置と、を組み合わせて構成した画像形成システムも知られている。
【０００３】
上記の画像形成装置、画像形成システムにおいて用いられる処理液の塗布量は、記録媒体の種別によって、その最適量が異なる。したがって、画像形成の品質を高めるには、記録媒体に基づいて処理液の量を調整することが望ましい。処理液は、塗布用ローラを介して記録媒体に塗布される。したがって、処理液の塗布量は、記録媒体に対する塗布用ローラの回転速度と相関する。
【０００４】
塗布用ローラによる処理液の塗布量を可変するために、記録媒体を塗布用ローラに圧接させるローラによる圧接力を可変させる技術、および複数台の塗布装置を直列に配置し、処理液の多重塗りをする技術が開示されている（例えば、特許文献１を参照）。
【０００５】
また、塗布用ローラは、処理液を塗布しながら搬送する役割もあるので、記録媒体への処理液の塗布量は塗布用ローラによる搬送速度にも関係する。塗布用ローラによる搬送速度を調整することで処理液の塗布量を調整する技術として、処理液の塗布量を可変するために塗布速度を制御する技術も開示されている（例えば、特許文献２を参照）。
【０００６】
また、塗布用ローラの回転速度を変化させることで処理液の塗布量の可変にする技術も開示されている（例えば、特許文献３を参照）。
【発明の概要】
【発明が解決しようとする課題】
【０００７】
本発明は、画像形成処理における生産性を下げることなく、処理液の塗布を可変できる画像形成装置を提供することを目的とする。
【課題を解決するための手段】
【０００８】
上記目的を達成するために、本発明は、画像形成装置に関するものであって、記録媒体を搬送しながら液滴を吐出することで画像を形成する画像形成部と、前記画像が形成される前の記録媒体を搬送しながら当該記録媒体に処理液を塗布する処理液塗布部と、前記画像形成部において前記記録媒体が搬送される速度である画像形成搬送速度と、前記処理液塗布部において前記記録媒体が搬送される速度である液塗布搬送速度と、を制御する制御部と、を備え、前記制御部は、前記液塗布速度が前記画像形成搬送速度以上になるように制御する、ことを特徴とする。
【発明の効果】
【０００９】
本発明によれば、画像形成処理における生産性を下げることなく、処理液の塗布を記録媒体に応じて可変できる。
【図面の簡単な説明】
【００１０】
【図１】本発明に係る画像形成システムの実施形態である印刷システムのシステム構成図。
【図２】本発明に係る画像形成システムを構成する処理液塗布装置の内部構造の実施形態を示す構成図。
【図３】本実施形態に係る処理液塗布装置における記録媒体の搬送経路を示す図。
【図４】本発明に係る画像形成システムを構成する画像形成装置の内部構造の実施形態を示す構成図。
【図５】本実施形態に係る処理液塗布装置が備える処理液塗布部の構造の例を示す図。
【図６】本実施形態に係る処理液塗布部における動作と処理液塗布量の関係を示すグラフ。
【図７】本実施形態に係る処理液塗布部における動作を規定するデータテーブルの例を示す図。
【図８】本実施形態に係る処理液塗布部における動作を補正するするデータテーブルの例を示す図。
【発明を実施するための形態】
【００１１】
［本発明の要旨］
本発明は、画像形成材（インク）に作用する処理液を記録媒体の画像形成面に塗布する処理液塗布部と、処理液が塗布された画像形成面に画像を形成する画像形成部と、を備える画像形成装置に関するものである。また、本発明は、画像形成面に画像を形成する画像形成装置と、画像形成面に処理液を塗布する処理液塗布装置を連携して構成される画像形成システムに関するものである。
【００１２】
本発明に係る画像形成装置及び画像形成システムにおいて用いられる処理液は、画像形成材（液体インク等）によって画像が形成される記録媒体の画像形成面の状態を、画像形成において好適な状態になるようにする効果を有する液体である。ここで「好適な状態」とは、例えば、画像形成面に付着した画像形成材（インク滴）を凝集させてインクの滲みを防ぐ状態や、裏写りを防止する状態などである。
【００１３】
したがって、処理液の塗布量は画質に重要な影響を与える。そこで、記録媒体に対する処理液の塗布量は最適な量になることが望ましい。記録媒体の種別（種類や銘柄を含む、以下同じ）などによって最適な塗布量は異なるので、記録媒体の種別に応じて塗布量を変化させることができ、さらに、画像形成速度に影響を与えないことが望ましい。
【００１４】
この点、上記にて示した特許文献１に開示されている技術のように、圧接荷重を変化させることで塗布量を可変にするには、その可変範囲が狭くなり、微調しかできないという、という課題があった。塗布量の可変範囲を広げるために複数台の塗布装置を直列に並べて多重塗りする場合は、塗布装置が大型になり、装置コストも高価となるという課題があった。
【００１５】
また、特許文献２に開示されている技術によれば、記録媒体に処理液を塗布するために用いられる塗布用ローラと、記録媒体を搬送させるために用いられる搬送用ローラが連動する。したがって、処理液の塗布量を多くするために塗布用ローラの回転速度を下げて塗布用ローラによる搬送速度を下げると、搬送用ローラの回転速度も下がって搬送速度が下がる。搬送用ローラによる搬送速度が下がると画像形成の速度が下がることになる。すなわち、特許文献１の技術を用いて処理液の塗布量を調整すると画像形成速度（印刷速度）が犠牲になり、画像形成処理における生産性が下がる、という課題があった。
【００１６】
また、特許文献２に開示されている技術のように、塗布用ローラに付着量規制部材を設けることで、当該規制部材の圧接状態によって塗布量を変更する場合、規制部材と塗布用ローラの接触を均一化するための高精度の部品が必要となる。しかも、塗布量を可変できる範囲が狭く、微調しかできないという課題もあった。
【００１７】
さらに、特許文献３に開示されている技術は、給紙から排紙までつながっているロール状のメディア（記録媒体）への塗布に関するものであるため、ヘッドによる印刷の速度と塗布部での用紙速度は同一速度となる。この構成では、回転速度を変更すると塗布ローラの回転速度を変更することになる。したがって、特許文献３に開示されている技術は、塗布用ローラと用紙の間でスリップさせ塗布量を可変する技術となる。この技術によれば、積極的に記録媒体と塗布用ローラをスリップさせることになる。そのため、記録媒体のエッジと塗布用ローラとの接触により、塗布用ローラの摩耗を早めて短寿命となる、という課題があった。
【００１８】
なお、特許文献３に開示されている技術は、給紙から排紙まで連なり張力が付与され続けるロール状メディアを記録媒体とすることができるが、カット紙を記録媒体としても用いるときは、搬送ローラでの用紙の受け渡しにより張力を付与し続けることができないから、張力が解除されたところで異なる速度の塗布ローラと記録媒体が接触してジャムが発生し、搬送不良の原因となる、という課題もあった。
【００１９】
本発明に係る画像形成装置及び画像形成システムは、上記のような従来技術に係る課題を解決しうるものである。記録媒体に処理液を塗布する塗布用ローラによる記憶媒体の搬送速度を、画像形成処理時の記録媒体を搬送する搬送用ローラによる搬送速度に対して、一定の関係を維持するように制御する、ことを要旨の一つとする。ここで「塗布用ローラによる搬送速度を搬送用ローラによる搬送速度に対して一定の関係にする」とは、「塗布用ローラによる搬送速度を、搬送用ローラによる搬送速度以上になるように制御すること」を意味する。
【００２０】
したがって、本発明に係る画像形成装置及び画像形成システムは、処理液の塗布量の調整範囲を広く設定でき、かつ、調整幅も細かく微調ができるものであり、処理液の塗布機構を含む装置の大型化を抑制できるようにする。また、本発明に係る画像形成装置及び画像形成システムは、画像形成処理における搬送速度（印刷速度）を記録媒体の種別によらず、一定にしても、記録媒体の種別に応じた最適な量で処理液を塗布し、かつ、印刷速度に影響を与えないようにできる。したがって、記録媒体として，所定の大きさに切り分けられている「カット紙」を用いることができ、また、処理液の塗布量の可変範囲を拡大できるので、幅広い種別の記録媒体（メディア）に対して最適な量の処理液を塗布し、かつ、画像形成の生産性を維持できる。
【００２１】
また、本発明に係る画像形成装置及び画像形成システムによれば、塗布量過多による処理液の無駄な消費を防止できる。また、処理液の過剰塗布により搬送ローラに対して処理液が付着して生ずる「詰まり（ジャム）」を防止することもできる。さらに、塗布量不足による画質の低下も防止できる。さらに、本発明に係る画像形成装置及び画像形成システムは、従来技術と比較して、小さいスペースに収まる構成を採用でき、製造コストも低減させることが可能であり摩耗による塗布用ローラの品質低下を防止することもできる。
【００２２】
［画像形成システムの実施形態］
まず、本発明に係る画像形成システムの実施形態について説明する。図１は、画像形成システムの実施形態である印刷システム１０００の概略を示す概略構成図である。図１に示すように、印刷システム１０００は、給送装置１００と、処理液塗布装置２００と、画像形成装置であるプリンタ３００と、媒体排出装置４００と、を備える。なお、処理液塗布装置２００とプリンタ３００を合わせて構成される画像形成装置を、本発明に係る画像形成装置の実施形態とする。
【００２３】
給送装置１００は、画像形成処理において画像が形成される画像形成面を有するシート状の記録媒体を、シート搬送経路の下流側に設けられた処理液塗布装置２００に供給する記録媒体供給装置である。給送装置１００から供給される記録媒体は、例えば、所定の大きさに切り揃えられている「カット紙」である。以下、本実施形態の説明は、記録媒体がカット紙であることを前提にし、「シート８」として表記する。
【００２４】
処理液塗布装置２００は、インクを凝集させ、裏写りを防止する作用効果を有する処理液をシート８の画像形成面に塗布する処理液塗布部２１０を備える。
【００２５】
プリンタ３００は、処理液塗布装置２００において処理液が塗布されたシート８に、インク滴を吐出して画像形成を施す画像形成部３１０と、シート８に付着した処理液とインク滴を乾燥させる乾燥部３２０と、を備える。なお、プリンタ３００は、シート８の表裏に印刷する場合、乾燥部３２０からから画像形成部３１０へシート８を反転させて戻す搬送経路も備えている。これによって、先に画像が形成されている画像形成面の裏面側にインク滴を吐出して画像を形成し、その後、乾燥部３２０において新たに画像が形成された面を乾燥し、その後、媒体排出装置４００に排出することができる。
【００２６】
媒体排出装置４００は、プリンタ３００において画像形成処理が行われたシート８を収容する装置である。
【００２７】
［処理液塗布装置２００の構成］
次に、本実施形態に係る処理液塗布装置２００について、図を用いながら説明する。図２は、処理液塗布装置２００の構成を示す構成図である。図２に示すように、処理液塗布装置２００は、処理液塗布部２１０と、制御部２２０と、処理液供給部２３０と、搬入部２４０と、搬出部２５０と、を有する。
【００２８】
また、処理液塗布装置２００は、複数の搬送ローラや複数のペーパガイドからなる搬送パス２６０を有し、さらに、搬出部２５０の搬送パス２６０には、シート８の搬送方向を切り替える第一分岐ゲート２５１と、第二分岐ゲート２５２と、が配置されている。
【００２９】
また、処理液塗布装置２００は、全体の動作を制御する制御部２２０を有する。制御部２２０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、電源が遮断されている間もデータを保持するための書き換え可能な不揮発性メモリであるＮＶＲＡＭ（Ｎｏｎ−Ｖｏｌａｔｉｅ  Ｒａｎｄｏｍ  Ａｃｃｅｓｓ  Ｍｅｍｏｒｙ）などを備え、コンピュータプログラムを実行することで処理機能を実現する情報処理部である。
【００３０】
制御部２２０は、ＲＯＭに記録されている制御プログラムをＣＰＵにおいて実行させることで、処理液塗布装置２００が備える動作機構の動作を制御する。制御部２２０が備えるＲＡＭは、制御プログラムが実行される際のワークエリアとして用いられる。また、制御部２２０のＮＶＲＡＭには、後述する処理液塗布制御処理において用いられる各種データが格納されている。すなわち、制御部２２０は、ＣＰＵがＲＯＭに格納されている制御プログラムを読み出してＲＡＭの記憶領域に展開し、ＣＰＵがＮＶＲＡＭに格納されている各種データを読み出しながら制御プログラムを実行する。ＮＶＲＡＭが後述する塗布量データテーブルおよび塗布量補正データテーブルを記憶する記憶部を構成する。
【００３１】
制御部２２０は、処理液塗布部２１０に含まれる塗布用ローラの動作によるシート８の搬送速度（液塗布搬送速度）を、プリンタ３００におけるシート８の搬送速度（画像形成搬送速度）に基づいて制御する。この場合、制御部２２０は、画像形成搬送速度よりも液塗布搬送速度が速くなるように制御する。具体的には、塗布用ローラを回転させる駆動源の回転速度を、画像形成搬送速度を規定する駆動源の回転速度よりも速くなるように制御し、この制御によって塗布用ローラの回転速度を変化させて、処理液の塗布量を変化させる。したがって、制御部２２０は、画像形成搬送速度を一定にしたまま、液塗布搬送速度を任意に変更可能となるように制御する。すなわち、画像形成搬送速度を基準として用い、この基準に対する液塗布搬送速度の変化量を制御することによって、液塗布搬送速度を任意に変更し、処理液の塗布量を変化させる。
【００３２】
また、制御部２２０は、搬送パス２６０におけるシート８の搬送動作や、第一分岐ゲート２５１と第二分岐ゲート２５２の切り替え動作も制御する。
【００３３】
給送装置１００から排出された枚葉メディアであるシート８は、搬入部２４０を介して処理液塗布装置２００に搬入されて、搬送パス２６０によって搬送されて処理液塗布部２１０に至り、処理液が塗布される。その後、搬送パス２６０によって搬出部２５０に搬送されてプリンタ３００に向けて搬出される。なお、図２における太線の矢印は、搬送パス２６０におけるシート８の搬送方向を例示している。
【００３４】
［処理液塗布装置２００における搬送の態様］
図３は、処理液塗布装置２００においてシート８の両面に処理液を塗布するときのシート８の搬送の様子を例示する図である。シート８の両面に画像形成処理を行う場合、すなわち、両面印刷の場合は、処理液塗布装置２００においてシート８の両面に処理液を塗布する必要がある。そこで、制御部２２０は、図３に示すようにシート８を搬送させるように制御をする。図３においてシート８の搬送順序を、太線矢印（Ａ〜Ｊ）によって示している。
【００３５】
まず、搬入部２４０を通過して給送装置１００から処理液塗布装置２００にシート８が搬入されると、搬送経路Ａ、Ｂ、Ｃの順でシート８が搬送される。これによって、処理液塗布部２１０にシート８が搬送される。処理液塗布部２１０では、まず、シート８の片面（表面）に処理液が塗布される。その後、シート８が搬送経路ＤからＥを通過する。ここで、第一分岐ゲート２５１を制御部３３０が切り替えることで、シート８は搬送経路Ｆに搬送される。そして、第二分岐ゲート２５２を通過して搬送経路Ｇにシート８が至る。
【００３６】
ここで制御部２２０が、第二分岐ゲート２５２を切り替えて、シート８の搬送方向を逆転させる。その後、シート８が搬送経路Ｈのように、これまでとは逆向きに進み、切り換えられている第二分岐ゲート２５２を通過して、搬送経路Ｉから搬送経路Ｃを介して、再度処理液塗布部２１０に搬送される。このとき、シート８の裏面に処理液が塗布される。処理液が両面に塗布されたシート８は、その後、搬送経路Ｄから搬送経路Ｅを通過する。そして、制御部２２０が第一分岐ゲート２５１を再度切り換えることで、シート８は、搬送経路Ｊを通過して、搬出部２５０から搬出される。以上の動作により、処理液が両面に塗布されたシート８がプリンタ３００に受け渡される。
【００３７】
［プリンタ３００の構成］
次に本実施形態に係るプリンタ３００について、図を用いながら説明する。図４は、プリンタ３００の構成を示す構成図である。図４に示すように、プリンタ３００は、画像形成部３１０と、乾燥部３２０と、を有する。また、プリンタ３００は、複数の搬送ローラや複数のペーパガイドからなる搬送パス３４０を有し、さらに、搬送パス３４０には、シート８の搬送方向を切り替える第三分岐ゲート３４１と、第四分岐ゲート３４２と、を有する。
【００３８】
また、プリンタ３００は、全体の動作を制御する制御部３３０を有する。制御部３３０はすでに説明した制御部２２０と同様の構成であって、ＣＰＵ、ＲＯＭ、ＲＡＭ、ＮＶＲＡＭなどを含む。制御部３３０は、ＲＯＭに記録されている制御プログラムをＣＰＵにおいて実行させることで、プリンタ３００を制御するための処理機能を実現する情報処理部である。
【００３９】
制御部３３０は、画像形成部３１０に含まれる搬送モータ３１３の回転速度を制御することで、搬送ローラ３１２の回転速度を制御する。搬送ローラ３１２と搬送モータ３１３は、画像形成部３１０にシート８を搬送する搬送機構である。したがって、制御部３３０による搬送モータ３１３の回転速度の制御により、画像形成部３１０に対するシート８の搬送速度が制御される。画像形成部３１０におけるシート８の搬送速度を「画像形成搬送速度」とする。
【００４０】
また、搬送パス３４０におけるシート８の搬送動作や、第三分岐ゲート３４１と第四分岐ゲート３４２の切り替え動作も制御部３３０が実行する。
【００４１】
なお、制御部３３０は、処理液塗布装置２００の制御部２２０と連携して動作する。すなわち、制御部３３０は、制御部２２０に対して搬送ローラ３１２の回転速度などシート８の画像形成搬送速度を規定するデータを通知する。処理液塗布装置２００の制御部２２０は、制御部３３０から通知された画像形成搬送速度に基づいて上述のように、処理液塗布部２１０に含まれる塗布用ローラを回転させる駆動源の回転速度を制御する。制御部２２０よって制御される処理液塗布部２１０におけるシート８の搬送速度を「液塗布搬送速度」とする。
【００４２】
処理液塗布装置２００とプリンタ３００が一体化した画像形成装置の場合、制御部２２０と制御部３３０が実現する機能を合わせて一体となった制御部を備えればよい。
【００４３】
［プリンタ３００における搬送の態様］
処理液塗布装置２００から排出された枚葉メディアであるシート８は、搬送パス３４０によって搬送されて画像形成部３１０に至り、液体吐出ヘッドである記録ヘッド３１１からインク液が液滴として吐出されて画像が形成される。その後、シート８は搬送パス３４０によって乾燥部３２０を通過して、画像形成処理によって着弾した液滴や処理液などが付着した画像形成面を乾燥しながら乾燥部３２０を通過する。なお、図４における太線の矢印は、搬送パス３４０におけるシート８の搬送方向を例示している。
【００４４】
処理液塗布装置２００から排出されたシート８は、片面のみに画像形成処理を行う場合は、搬送経路Ｋから搬送経路Ｌを通過して、画像形成処理後に搬送経路Ｍから第三分岐ゲート３４１を通過して搬送経路Ｏから媒体排出装置４００へと排出される。
【００４５】
シート８の両面に処理液を塗布されたシート８が搬送されてきて、両面に画像形成処理を行う場合は、処理液塗布装置２００からシート８が搬入されると、搬送経路Ｋ、Ｌ、Ｍの順にシート８が搬送された後、第三分岐ゲート３４１を制御部３３０が切り替える。これによって、シート８は搬送経路０ではなく搬送経路Ｐに搬送され、その後、第四分岐ゲート３４２を通過して搬送経路Ｑに至る。
【００４６】
ここで制御部３３０が、第四分岐ゲート３４２を切り替えて、シート８の搬送方向を逆転させる。その結果、シート８は搬送経路Ｒのように、これまでとは逆向きに進み、切り換えられている第四分岐ゲート３４２を通過して、搬送経路Ｓから搬送経路Ｔを介して、再度、搬送経路Ｋ、Ｌを通過して画像形成部３１０に搬送される。このように、シート８の裏面に画像形成処理が実行される。
【００４７】
そして、両面に画像が形成されたシート８は、その後、搬送経路Ｍを通過しながら、画像形成面の乾燥が行われて、制御部３３０が第三分岐ゲート３４１を再度切り換えることで、搬送経路Ｏを通過して、排出される。以上の動作により、所定の画像が形成されたシート８が媒体排出装置４００へと排出される。
【００４８】
［処理液塗布部２１０の構成］
次に、処理液塗布部２１０の構成について用いて説明する。図５は、処理液塗布部２１０と処理液供給部２３０の詳細な構成を示す図である。図５に示すように、処理液塗布部２１０は、複数のローラ部材を備えている。処理液塗布部２１０は、複数のローラ部材として、転写ローラ２２０１と、塗布ローラ２２０４と、汲み上げローラ２２０８と、を備えている。
【００４９】
転写ローラ２２０１は、中間位置が揺動支点２２０５によって支持されているＴＲアーム２２０２の一端に回転可能な状態で支持されている。ＴＲアーム２２０２は、この揺動支点２２０５を境界として、一方の端部と他方の端部が上下方向の反対側に揺動するようになっている。ＴＲアーム２２０２の他方の端部には、ＴＲバネ２２０３が接続されている。ので、ＴＲアーム２２０２の他方の端部が重力方向の逆方向に引っ張られていて、その結果転写ローラ２２０１は、重力方向に付勢された状態で支持されている。これによって、転写ローラ２２０１は、重力方向側に配置されている塗布ローラ２２０４に弾性圧接した状態となる。
【００５０】
シート８が、この転写ローラ２２０１と塗布ローラ２２０４の間に形成されているニップを通過するときに、塗布ローラ２２０４の外周面に付着している処理液がシート８に塗布される。
【００５１】
また、ＴＲアーム２２０２の他方の端部側（ＴＲバネ２２０３が接続されている端部側）の上方にはＴＲカム２２０６が配置されていて、ＴＲアーム２２０２の上側面とＴＲカム２２０６が接触する状態になっている。このＴＲカム２２０６が回転すると、ＴＲカム２２０６の外周面の位置が変位して、ＴＲカム２２０６の接触面を重力方向に押し下げるように動作する。そうすると、ＴＲバネ２２０３の引張力に抗してＴＲアーム２２０２の他方の端部側には、重力方向への押される力が加わる。ＴＲカム２２０６の回転によりＴＲアーム２２０２の他方の端部に加えられる力によって、ＴＲアーム２２０２の一方の端部に支持されている転写ローラ２２０１は、重力方向の反対方向に移動させられる。これによって、転写ローラ２２０１が塗布ローラ２２０４から離間する動作が行えるようになっている。ＴＲカム２２０６の回転は、カムモータ２２０７による。すなわち、カムモータ２２０７の回転に基づいて、転写ローラ２２０１は、塗布ローラ２２０４とのニップが制御されるように構成されている。
【００５２】
転写ローラ２２０１は、塗布ローラ２２０４との弾性圧接による接触により回転する。なお転写ローラ２２０１と塗布ローラ２２０４はギヤで連結することも可能である。
【００５３】
塗布ローラ２２０４は、処理液塗布部２１０の筐体側板に回転可能に支持されていて、第一駆動部である第一モータ２２２５の駆動力を駆動源として回転する。言い換えると、第一モータ２２２５は、塗布ローラ２２０４を回転駆動させる。すなわち、第一モータ２２２５の回転速度に応じて塗布ローラ２２０４の回転速度は決まる。塗布ローラ２２０４の支持位置は、転写ローラ２２０１側を上方向とし、汲み上げローラ２２０８側を下方向とした場合の上下方向に移動可能になっている。塗布ローラ２２０４は、転写ローラ２２０１からの弾性圧接により汲み上げローラ２２０８に弾性圧接するように構成されている。
【００５４】
汲み上げローラ２２０８は、供給液室２２０９の側板に回転可能に支持されていて、第二駆動部である第二モータ２２２６の駆動力を駆動源として回転する。言い換えると、第二モータ２２２６は、汲み上げローラ２２０８を回転駆動させる。すなわち、第二モータ２２２６の回転速度に応じて汲み上げローラ２２０８の回転速度は決まる。
【００５５】
なお、液供給パンである供給液室２２０９は、外側面の一面に設けられている液室揺動支点２２１３により、処理液塗布部２１０の筐体に揺動可能に固定されている。また、供給液室２２０９の外側面であって上記の突起部との反対面には、アーム２２１０が設けられている。アーム２２１０は、ピン２２１１を介して、圧縮バネ２２１２により供給液室２２０９を上方向（転写ローラ２２０１方向）に付勢されている。したがって、供給液室２２０９は、圧縮バネ２２１２によって上方向に付勢されている。圧縮バネ２２１２の付勢により、供給液室２２０９に固定されている汲み上げローラ２２０８は塗布ローラ２２０４に弾性圧接可能となっている。
【００５６】
ピン２２１１にはカム２２１４が接触しており、カム２２１４の回転により、圧縮バネ２２１２の押し付け力を可変するように構成されている。したがって、カム２２１４の回転によって、塗布ローラ２２０４と汲み上げローラ２２０８のニップ荷重は変更可能となる構成になっている。また、カム２２１４の回転により、圧縮バネ２２１２の押し付け力が変化し、供給液室２２０９の位置が変化する。カム２２１４の回転動作は、第三モータ２２１５を駆動源とする。したがって、制御部２２０（図２参照）が第三モータ２２１５の駆動を制御することで、塗布ローラ２２０４と、汲み上げローラ２２０８との当接および離間を制御することができる。
【００５７】
供給液室２２０９には、処理液である処理剤液２２１６が貯留されている。汲み上げローラ２２０８は一部が処理剤液２２１６に浸される状態になっている。汲み上げローラ２２０８は塗布ローラ２２０４と弾性力により圧接しているので、この汲み上げローラ２２０８が回転して供給液室２２０９にある処理剤液２２１６を外周面に付着させながら回転すると、ニップを介して、汲み上げローラ２２０８から塗布ローラ２２０４に処理剤液２２１６が渡される。塗布ローラ２２０４は、汲み上げローラ２２０８から受け取った処理剤液２２１６を転写ローラ２２０１とのニップにおいてシート８に塗布しながら、シート８を搬送パス２６０に乗せて移動させる。
【００５８】
また、供給液室２２０９には、処理剤液２２１６の液面を検出する液面センサ２２１８が設けられている。液面センサ２２１８は、処理剤液２２１６が適量となる液位に相当する位置に取り付けられている。この液面センサ２２１８の出力を監視することで、処理剤液２２１６が適量であるか否かを監視できるように構成されている。なお、処理剤液２２１６の適量とは、処理剤液２２１６の液面が、汲み上げローラ２２０８の回転中心程度にある状態をいう。
【００５９】
また、供給液室２２０９の内部には、処理剤液２２１６の温度を検知するための温度センサ２２２７が設置されている。温度センサ２２２７は、処理剤液２２１６に浸る位置に設置されていてもよいし、供給液室２２０９の環境温度を計測することで処理剤液２２１６の温度を算出できる位置に設置されていてもよい。温度センサ２２２７において計測された温度は、制御部２２０に通知される。
【００６０】
［処理剤液２２１６の補充動作］
シート８に処理剤液２２１６が塗布されると、供給液室２２０９に蓄えられている処理剤液２２１６が消費されて液面位が下がることになる。液面センサ２２１８が処理剤液２２１６の液面を検出しなくなった時点で、供給弁２２１９を開けて供給ポンプ２２２０が駆動するように構成されている。供給ポンプ２２２０の駆動によって、供給タンク２２２１に保持されている処理剤液２２１６が供給液室２２０９に送り込まれる。
【００６１】
そして、所定の液位になった時点で供給弁２２１９を閉じて、供給ポンプ２２２０を停止させる。以上の動作により、処理液塗布部２１０は、供給液室２２０９に蓄えられる処理剤液２２１６の液位が一定に保たれるように構成されている。
【００６２】
また、処理剤液２２１６は、経時的に特性が変化することがある。例えば、ある程度時間が経過すると、供給液室２２０９に蓄えられている処理剤液２２１６が増粘することを考慮しなければならない。そこで、ある程度時間が経過した処理剤液２２１６を排出する機構として、排液弁２２２２、排液ポンプ２２２３ならびに排液タンク２２２４が設けられている。排液弁２２２２を開放し、排液ポンプ２２２３を駆動させることで、供給液室２２０９内の劣化した処理剤液２２１６を排液タンク２２２４へ排出することができる。
【００６３】
［処理剤液２２１６の塗布プロセス］
次に、本実施形態に係る塗布プロセスについて説明する。すでに説明をした処理液塗布部２１０の構成において、第二モータ２２２６が汲み上げローラ２２０８を回転させると、供給液室２２０９に蓄えられている処理剤液２２１６が汲み上げローラ２２０８により汲み上げられる。この汲み上げられた処理剤液２２１６は、塗布ローラ２２０４との接触位置（ニップ）に運ばれる。
【００６４】
処理剤液２２１６は、汲み上げローラ２２０８と塗布ローラ２２０４の接触位置を通過することにより、所定の液量で塗布ローラ２２０４へと移動する。このとき、移動した処理剤液２２１６は、塗布ローラ２２０４の外周面に付着して薄膜化する。これによって、処理剤液２２１６が所定の量となる。したがって、汲み上げローラ２２０８と塗布ローラ２２０４にニップにおいて、シート８に塗布するための処理剤液２２１６の液量が計量されるように構成されている。
【００６５】
薄膜化している計量後の処理剤液２２１６が、塗布ローラ２２０４の回転により、転写ローラ２２０１との接触位置（ニップ）に運ばれる。塗布ローラ２２０４と転写ローラ２２０１の接触位置をシート８が通過することで、塗布ローラ２２０４の表面の微量液層がシート８に転写される。以上のように塗布プロセスが実行され、供給液室２２０９に蓄えられている処理剤液２２１６がシート８に塗布される。
【００６６】
上記の構成において、弾性圧接されている各ローラ間を通過する処理剤液２２１６の液膜の厚み（通過膜厚）は、各ローラの速度に依存する。一般的に、汲み上げローラ２２０８の回転速度が速くなればなるほど、塗布ローラ２２０４に運ばれる処理剤液２２１６の量が多くなる。すなわち、塗布ローラ２２０４の表面に形成される液膜の厚みが厚くなる。
【００６７】
したがって、シート８に塗布する処理剤液２２１６の塗布量を多くしたいときは、第二モータ２２２６による汲み上げローラ２２０８の回転速度を速くして塗布ローラ２２０４に供給する処理剤液２２１６の量を多くし、塗布ローラ２２０４がシート８に処理剤液２２１６を塗布するときには、塗布ローラ２２０４の回転速度を下げればよい。
【００６８】
［処理剤液２２１６の塗布量と塗布ローラ２２０４の回転速度の関係］
次に、本実施形態に係る処理液塗布部２１０における、シート８への処理剤液２２１６の塗布量と、塗布ローラ２２０４の回転速度の関係について、図６のグラフを用いて説明する。図６の示すグラフは、縦軸がシート８への処理剤液２２１６の塗布量、横軸が塗布ローラ２２０４と汲み上げローラ２２０８の「回転速度の比（周速比）」である。
【００６９】
図６には３つのグラフが描かれている。グラフＧ１、グラフＧ２、グラフＧ３はそれぞれ、汲み上げローラ２２０８の回転速度は一定であり、塗布ローラ２２０４の回転速度が異なる場合を区別している。グラフＧ１は、塗布ローラ２２０４の回転速度が「速度Ｓ１」の場合を表している。グラフＧ２は、塗布ローラ２２０４の回転速度が「速度Ｓ２」の場合を表している。グラフＧ３は、塗布ローラ２２０４の回転速度が「速度Ｓ３」の場合を表している。
【００７０】
各速度は、「速度Ｓ１＜速度Ｓ２＜速度Ｓ３」の関係にある。なお塗布ローラ２２０４の回転速度が、速度Ｓ１のとき、搬送ローラ３１２と塗布ローラ２２０４の搬送速度は同じとする。すなわち、速度Ｓ１のグラフは、液塗布搬送速度と画像形成搬送速度が同じ場合の周速比と塗布量の関係を示している。
【００７１】
第一モータ２２２５の回転速度を速度Ｓ２にすると、塗布ローラ２２０４の回転速度は搬送ローラ３１２の回転速度よりも速くなる。すなわち、速度Ｓ２のグラフは、液塗布搬送速度が画像形成搬送速度よりも速い場合の周速比と塗布量の関係を表している。
【００７２】
第一モータ２２２５の回転速度を速度Ｓ３にすると、塗布ローラ２２０４の回転速度は搬送ローラ３１２の回転速度よりも、さらに速くなる。すなわち、速度Ｓ３のグラフは、液塗布搬送速度が画像形成搬送速度よりも、さらに速い場合の、周速比と塗布量の関係を表している。
【００７３】
図６のグラフに示すように、塗布ローラ２２０４の回転速度を速度Ｓ１から速度Ｓ３の間で可変することにより、例えば周速比が「周速比：Ｃ」の例において、処理剤液２２１６の塗布量を「範囲Ａ」の間で可変できる。
【００７４】
制御部２２０は、搬送ローラ３１２の回転速度に基づいて、塗布ローラ２２０４の回転速度を可変させ、「画像形成搬送速度≦液塗布搬送速度」となるように、塗布ローラ２２０４の回転速度を制御する。したがって、制御部２２０は制御部３３０から搬送モータ３１３の回転速度の通知を受ける機能を備えていて、この通知に対して第一モータ２２２５の回転速度を制御する。これによって、塗布ローラ２２０４によって処理剤液２２１６が塗布された搬送されるシート８の搬送速度を、画像形成処理が行われるときの搬送速度以上にし、シート８に最適な塗布量を実現する。処理液塗布部２１０において処理剤液２２１６が塗布されたシート８の搬送速度は、画像形成部３１０に至るまでに減速する。したがって、画像形成処理の速度（印刷速度）は、一定のままで、シート８に対する処理剤液２２１６の塗布量を変化させることができるので、画像形成処理の生産性に影響を与えずに、シート８に対する適量の処理剤液２２１６を塗布することができる。
【００７５】
また、本実施形態に係る処理液塗布部２１０において、塗布ローラ２２０４の回転速度を一定にした場合（液塗布搬送速度を一定にした場合）、周速比を変更することで、グラフＧ１の例において処理剤液２２１６の塗布量を「範囲Ｂ」の間で可変することができる。
【００７６】
ここで、周速比が決まる位置は、塗布ローラ２２０４と汲み上げローラ２２０８の間となる。つまり、記録媒体であるシート８の端部（エッジ）との接触もなく、処理剤液を２２１６が存在するローラ間のおける周速の差となるため、処理剤液２２１６の潤滑効果により塗布ローラ２２０４と汲み上げローラ２２０８への摩耗等の影響はなく高耐久性を確保できる。
【００７７】
さらに、本実施形態に係る処理液塗布部２１０によれば、塗布速度と周速比を組み合わせることにより、「範囲Ａ」と「範囲Ｂ」を合わせた範囲において、処理剤液２２１６の塗布量を可変させることができる。画像形成処理の生産性を維持しつつ、処理剤液２２１６の塗布量を変化させる幅を大きくすることができる。処理剤液２２１６の塗布量の可変範囲を拡大することにより、多様な種別からなる様々な記録媒体に対して、それぞれに対して最適な塗布量となる処理剤液２２１６の塗布処理を実現することができる。
【００７８】
［塗布量データテーブルの例］
本実施形態に係る処理液塗布装置２００は、記録媒体であるシート８の種別に応じて、最適な処理剤液２２１６を塗布するために、制御２２０が塗布ローラ２２０４の回転速度制御するときに参照する塗布量データテーブルを制御部２２０の記憶部に格納している。
【００７９】
図７は、塗布量データテーブルの実施形態である制御テーブルＴ１である。制御テーブルＴ１は、シート８の種別に対応する第一モータ２２２５の回転速度と周速比が紐付けられた構造を有する。この制御テーブルＴ1に格納されているデータは、シート８の種別に応じた処理剤液２２１６の塗布量が最適量となるように液塗布搬送速度を規定するためのデータである。
【００８０】
処理液塗布装置２００は、搬入部２４０においてシート８の種別を検知するセンサを備える構成でもよいし、処理液塗布装置２００又はプリンタ３００が備える操作パネルを介してシート８の種別などの入力を受け付ける構成でもよい。
【００８１】
制御部２２０が制御プログラムを実行してシート８への処理剤液２２１６の塗布処理を実行するとき、検知したシート８の種別または予め入力されたシート８の種別に基づいて、制御テーブルＴ１を読み出して参照し、第一モータ２２２５の回転速度と、周速比を選択する。例えば、シート８の種別が「Ｐ」であれば、第一モータ２２２５の回転速度は「Ｐ１」であり、周速比は「Ｐ２」となる。
【００８２】
制御部２２０は、読み出したＰ１とＰ２に基づいて、汲み上げローラ２２０８の回転速度（第二モータ２２２６の回転速度）も決定する。
【００８３】
そして制御部２２０は、回転速度「Ｐ１」で第一モータ２２２５を回転させ、周速比「Ｐ２」から算出した回転速度で第二モータ２２２６が回転するように制御する。これによって、処理剤液２２１６と塗布するシート８に応じた塗布量で処理剤液２２１６を塗布することができる。
【００８４】
なお、制御テーブルＴ１に予め格納されていないシート８の種別に対応する制御データは、処理液塗布装置２００が備える操作パネルまたはプリンタ３００が備える操作パネルを用いて任意で入力し、制御部２２０に格納することもできる。
【００８５】
また、処理の都度、操作パネルを介してシート８の種別に基づかない塗布量を指定することもできる。これによって、画像形成処理における品質を重視せずに、処理剤液２２１６の塗布量を減らして、処理剤液２２１６の消費量を抑制することもできる。
【００８６】
以上のように、本実施形態に係る処理液塗布装置２００は、シート８の種別ごとの塗布量の基本設定を制御テーブルＴ１として格納するとともに、操作パネルを介して任意に塗布量を設定することもできる。これによって、用紙９の幅広い種別に対応して、処理剤液２２１６の適切な塗布量を変更できる。
【００８７】
なお、シート８の種別の塗布量の設定としては、処理剤液２２１６が浸透し易い特性を備えるシート８の場合、例えば普通紙や再生紙の場合は、グラフＧ１（図６参照）のように、画像形成搬送速度と同じ速度にすればよい。一方、処理剤液２２１６が浸透しにくい特性を備えるシート８の場合、例えばグロスコート紙や、キャストコート紙、またはフィルム等の場合は、グラフＧ２またはグラフＧ３（図６参照）のように、画像形成搬送速度よりも液塗布搬送速度を速くすればよい。これは、シート８への処理剤液２２１６の浸透性が塗布量に影響し浸透し易い種別のものの方が塗布量は多くなるからである。そこで、塗布量が多くなる種別のシート８に対しては、液塗布搬送速度によって塗布量を抑制することで、シート８の種別のより塗布量の変動を抑制することができる。
【００８８】
［塗布量補正データテーブルの例］
本実施形態に係る処理液塗布部２１０は、すでに説明をしたとおり、供給液室２２０９内の処理剤液２２１６の温度を計測する温度センサ２２２７を備えている。シート８への最適な塗布量は、シート８の種別の違いによる影響の他に、処理剤液２２１６の温度によっても影響を受ける。これは、温度により処理剤液２２１６の粘度が変化するためである。温度が高いほど処理剤液２２１６の粘度が下がるので、塗布量が減る傾向にある。そこで、温度センサ２２２７によって処理剤液２２１６の温度を適宜計測し、計測した結果に基づいて、制御テーブルＴ１から読み出した値を補正する。
【００８９】
制御部２２０は、最適な処理剤液２２１６を塗布するための制御データを処理剤液２２１６に応じて補正する塗布量補正データテーブルを、記憶部に記憶している。ここで例示する塗布量補正データテーブルは、補正係数を温度補正テーブルとして格納するものである。
【００９０】
図８は、温度補正テーブルの実施形態である補正テーブルＴ２の例である。補正テーブルＴ２は、処理剤液２２１６の温度範囲に対して、第一モータ２２２５の回転速度を補正する係数と、周速比を補正する係数とが紐付けられた構造を有する。
【００９１】
制御部２２０は、搬入部２４０が備えるセンサによってシート８の種別を検知する、または、処理液塗布装置２００かプリンタ３００が備える操作パネルを介してシート８の種別などの入力を受け付けることで、制御テーブルＴ１における制御値を特定する。その上で、温度センサ２２２７によって計測された処理剤液２２１６の温度に基づいて、補正テーブルＴ２を参照して補正係数を特定する。
【００９２】
例えば、シート８の種別が「Ｐ」であって、計測された温度が「１２℃」の場合、第一モータ２２２５の回転速度「Ｐ１」に係数「Ｘ１」を乗じた値を、第一モータ２２２５の回転速度として制御する。また、周速比「Ｐ２」に係数「Ｙ１」を乗じた値に基づいて、第二モータ２２２６の回転速度として制御する。これによって、処理剤液２２１６の温度が高くなるほど、塗布速度を速くし、周速比を大きくすることができる。
【００９３】
なお、処理液塗布部２１０は、処理剤液２２１６の温度を供給液室２２０９の液中で計測しているが、液近傍の環境温度を計測することでも、同様の制御を実行することができる。これによって、処理剤液２２１６の温度変化による最適な塗布量の変動にも追従することができる。
【００９４】
以上説明をした本実施形態に処理液塗布装置２００とプリンタ３００を備える印刷システム１０００によれば、画像形成処理の状況に応じて処理剤液２２１６の塗布量を可変させる範囲を拡大することができる。また、少スペースかつ安価で多様な種別のシート８に対応することができる。さらに、処理剤液２２１６の塗布量を適量に制御できることで、塗布量過多による無駄な液の消費を防止でき、過剰塗布によるジャムを防止することもできる。
【００９５】
以上説明をした本実施形態に処理液塗布装置２００とプリンタ３００を備える印刷システム１０００によれば、処理剤液２２１６の塗布量不足による画質の低下を防止できる。
【００９６】
以上、本発明者によってなされた発明を好適な実施形態に基づき具体的に説明したが、本発明は上記実施形態で説明したものに限定されるものではなく、その要旨を逸脱しない範囲で種々変更可能であることはいうまでもない。
【符号の説明】
【００９７】
１００    ：給送装置
２００    ：処理液塗布装置
２１０    ：搬入部
２２０    ：処理液塗布部
２３０    ：処理液供給部
２４０    ：搬出部
２５０    ：搬送パス
３００    ：プリンタ
３１０    ：画像形成部
３２０    ：乾燥部
４００    ：媒体排出装置
１０００  ：印刷システム
２２０１  ：転写ローラ処理液塗布部
２２０１  ：転写ローラ
２２０２  ：ＴＲアーム
２２０３  ：ＴＲバネ
２２０４  ：塗布ローラ
２２０５  ：揺動支点
２２０６  ：ＴＲカム
２２０７  ：カムモータ
２２０８  ：汲み上げローラ
２２０９  ：供給液室
２２１０  ：アーム
２２１１  ：ピン
２２１２  ：圧縮バネ
２２１３  ：液室揺動支点
２２１４  ：カム
２２１５  ：第三モータ
２２１６  ：処理剤液
２２１７  ：第一計量ローラ
２２１８  ：液面センサ
２２２５  ：第一モータ
２２２６  ：第二モータ
２２２７  ：媒体センサ
２２２８  ：第二計量ローラ
２３１９  ：供給弁
２３２０  ：供給ポンプ
２３２１  ：供給タンク
２３２２  ：排液ポンプ
２３２３  ：排液弁
２３２４  ：排液タンク
【先行技術文献】
【特許文献】
【００９８】
【特許文献１】特開２０１２−１９６９５５号公報
【特許文献２】特開２００６−３４６９２４号公報
【特許文献３】特開２０１４−３４１６７号公報
【図１】
2020055112.tif 000003
【図２】
2020055112.tif 000004
【図３】
2020055112.tif 000005
【図４】
2020055112.tif 000006
【図５】
2020055112.tif 000007
【図６】
2020055112.tif 000008
【図７】
2020055112.tif 000009
【図８】
2020055112.tif 000010